(57)【特許請求の範囲】
【請求項１】
情報端末機器に所定の情報を入力するためのペン型入力装置であって、クリップ部と、通常は当該クリップ部と接触して導電状態となる導電スイッチと、前記情報端末機器に前記所定の情報を伝送する情報伝送手段と、前記導電スイッチが導電状態となっているときに前記情報伝送手段による前記所定の情報の伝送を許可し、前記クリッ部と前記導電スイッチとの間に絶縁物が介在して前記導電スイッチが非導電状態となっているときに前記情報伝送手段による前記所定の情報の伝送を禁止する情報伝送制御手段と、を備えることを特徴とするペン型入力装置。
【請求項２】
前記所定の情報として、自装置固有の識別情報を含み、前記情報伝送手段は、前記識別情報を自動的に繰り返し伝送することを特徴とする請求項１記載のペン型入力装置。
【請求項３】
前記情報伝送制御手段は、自装置への駆動電源の供給を停止することで前記所定の情報の伝送を禁止することを特徴とする請求項１乃至請求項３のいずれかに記載のペン型入力装置。
【請求項４】
前記所定の情報の伝送が許可されているときに、その状態を前記情報端末機器に通知する許可状態通知手段を備えることを特徴とする請求項１乃至請求項３のいずれかに記載のペン型入力装置。
【請求項５】
自装置への人体の接触から所定の人体情報を検出する人体情報検出手段と、当該人体情報検出手段の検出結果を解析する人体情報解析手段と、前記人体情報に基づいて生成された、接触者を識別可能な接触者識別情報が登録されている接触者識別情報データベースと、前記解析結果及び前記接触者識別情報データベースの登録内容に基づき接触者を識別する接触者識別手段と、を備えることを特徴とする請求項１乃至請求項４のいずれかに記載のペン型入力装置。
【請求項６】
前記人体情報解析手段の解析結果に基づき接触者識別情報を生成する接触者識別情報生成手段と、生成された接触者識別情報を前記接触者識別情報データベースに登録する接触者識別情報登録手段と、を備えることを特徴とする請求項５記載のペン型入力装置。
【請求項７】
前記人体情報検出手段は、指紋情報を検出することを特徴とする請求項５又は請求項６記載のペン型入力装置。
【発明の詳細な説明】
【０００１】
【発明の属する技術分野】
本発明は、情報の伝送が可能な情報入力装置に係り、特に、低消費電力で動作可能なペン型入力装置及び制御用プログラムに関する。
【０００２】
【従来の技術】
従来、情報入力装置から装置固有の識別データが継続的に送信され、情報端末機器がこれに応答することで両者の間の通信状態が確立され、情報の送受信が行われるといった通信方法が行われている。
【０００３】
【発明が解決しようとする課題】
しかしながら、上記従来の方法は、情報入力装置が使用されていなくても、常に固有の識別データを送信し続けるので、省電力の点で問題があった。
そこで、本発明は、このような従来の技術の有する未解決の課題に着目してなされたものであって、使用時以外の識別データの伝送を抑え、低消費電力で利用可能なペン型入力装置及び制御用プログラムを提供することを目的としている。
【０００４】
【課題を解決するための手段】
【０００６】
上記目的を達成するために、本発明のペン型入力装置は、情報端末機器に所定の情報を入力するためのペン型入力装置であって、
クリップ部と、通常は当該クリップ部と接触して導電状態となる導電スイッチと、前記情報端末機器に前記所定の情報を伝送する情報伝送手段と、前記導電スイッチが導電状となっているときに前記情報伝送手段による前記所定の情報の伝送を許可し、前記クリップ部と前記導電スイッチとの間に絶縁物が介在して前記導電スイッチが非導電状態となっているときに前記情報伝送手段による前記所定の情報の伝送を禁止する情報伝送制御手段と、を備えることを特徴としている。
ここで、情報端末機器とは、ＰＣ（Personal Computer）、ノート型ＰＣ、ＰＤＡ（Personal Digital Assistant）、ＷＳ（Work Station）、携帯電話などのＣＰＵを備えた端末機器であり、且つ、無線、あるいは、有線によってデータ通信を行う通信手段を備えたものである。
【０００７】
このような構成であれば、情報伝送制御手段は、クリップ部と導電スイッチとの間に絶縁物が何も挟みこまれておらずスイッチが導電状態のときには、情報伝送手段による情報端末機器への所定の情報の伝送を可能とする制御を行い、一方、クリップ部に、例えば、絶縁物として胸ポケットの布等が挟みこまれており導電スイッチが非導電状態のときには、情報伝送手段による情報端末機器への所定の情報の伝送を禁止するようになっているので、例えば、ペン型入力装置と情報端末機器との間で、ペン型入力装置から識別情報などを常時伝送して情報端末機器との間の通信を確立するような通信制御が行われている場合に、ペン型入力装置を利用するときのみにキャップ部を外すようにすれば、利用時以外の無駄なデータ伝送を抑え、消費電力の低減に役立つ。
【００１３】
また、他の発明は、ペン型入力装置において、前記所定の情報として、自装置固有の識別情報を含み、前記情報伝送手段は、前記識別情報を自動的に繰り返し伝送することを特徴としている。
つまり、情報伝送手段による情報端末機器への所定の情報の伝送が許可されているときに、情報伝送手段は、ペン型入力装置固有の識別情報を自動的に繰り返し伝送するようになっている。
【００１４】
また、他の発明は、ペン型入力装置において、前記情報伝送制御手段は、自装置への駆動電源の供給を停止することで前記所定の情報の伝送を禁止することを特徴としている。
つまり、情報伝送制御手段は、情報伝送手段による所定の情報の伝送を禁止するときに自装置に駆動電源の供給を行わないようにし、一方、スイッチがオン状態であったり、タッチセンサに接触が検出されているときに、駆動電源を供給してデータの伝送を許可するようにしたものである。従って、駆動電源の供給自体を停止するので、より消費電力の低減が可能となる。
【００１５】
また、他の発明は、ペン型入力装置において、前記所定の情報の伝送が許可されているときに、その状態を前記情報端末機器に通知する許可状態通知手段を備えることを特徴としている。
つまり、許可状態通知手段によって、情報伝送手段による所定の情報の伝送が許可されている状態を通知するようにしたものである。従って、この通知を受信した情報端末機器は、ペン型入力装置が使用中であることを知ることが可能である。
【００１６】
また、他の発明は、ペン型入力装置において、自装置への人体の接触から所定の人体情報を検出する人体情報検出手段と、当該人体情報検出手段の検出結果を解析する人体情報解析手段と、前記人体情報に基づいて生成された接触者を識別可能な接触者識別情報が登録されている接触者識別情報データベースと、前記解析結果及び前記接触者識別情報データベースの登録内容に基づき接触者を識別する接触者識別手段と、を備えることを特徴としている。
【００１７】
つまり、人体情報検出手段によって、自装置に接触した人体の情報を検出し、人体情報解析手段によって、検出された人体情報を解析し、接触者識別手段によって、予め接触者を識別するための前記解析結果に基づいて生成された接触者識別情報が登録されている接触者識別情報データベースから、前記解析結果に基づき接触者を識別するようになっている。従って、例えば、人体の接触によって得られた解析結果が、接触者識別情報データベースに登録された接触者識別情報と対応したものであれば、例えば、その接触者識別情報毎に、ペン型入力装置の機能の設定内容を登録しておくようにすれば、接触者毎に異なる設定で同一のペン型入力装置を利用するときに、接触者の判別に役立つ。
【００１８】
また、他の発明は、ペン型入力装置において、前記人体情報解析手段の解析結果に基づき接触者識別情報を生成する接触者識別情報生成手段と、生成された接触者識別情報を前記接触者識別情報データベースに登録する接触者識別情報登録手段と、を備えることを特徴としている。
つまり、接触者識別情報情報生成手段によって、人体情報解析手段の解析結果に基づき接触者識別情報を生成することができ、生成された接触者識別情報は接触者識別情報登録手段によって接触者識別情報データベースに登録できるようにしたものである。
【００１９】
また、他の発明は、ペン型入力装置において、前記人体情報検出手段は、指紋情報を検出することを特徴としている。
つまり、人体情報として、人体の指紋情報を検出するようになっているものである。
【００２７】
【発明の実施の形態】
以下、本発明の実施の形態を図面に基づいて説明する。図１乃至図１１は、本発明に係るペン型入力装置の実施の形態を示す図である。
まず、本発明に係るペン型入力装置の第１の構成を図１に基づいて説明する。図１は、本発明に係るペン型入力装置の第１の構成を示すブロック図である。
ペン型入力装置の第１の構成１は、スイッチ部１ａと、第１の情報伝送制御部１ｂと、第１の情報伝送処理部１ｃと、許可状態通知部１ｄと、第１の無線送受信部１ｅと、第１のＣＰＵ１ｆと、第１のＲＯＭ１ｇと、第１のＲＡＭ１ｈと、第１のバス１ｉと、を備えた構成となっている。
【００２８】
スイッチ部１ａは、ボタン部の押下や、接触による導電状態からオン状態を検出し、非導電状態のときはオフ状態を検出するものである。
第１の情報伝送制御部１ｂは、スイッチ部１ａの検出結果に基づいて、後述する第１の情報伝送処理部１ｃを制御するもので、スイッチ部１ａがオン状態を検出したときは、第１の情報伝送処理部１ｃに情報伝送の許可命令を与え、情報の伝送を可能にさせる。一方、スイッチ部１ａがオフ状態を検出したときは、第１の情報伝送処理部１ｃに情報伝送の禁止命令を与え、情報の伝送を禁止する。
【００２９】
第１の情報伝送処理部１ｃは、第１の情報伝送制御部１ｂからの命令に従って、情報の伝送処理を行うもので、後述する第１の無線送受信部１ｅにデータの伝送命令を与える処理を行う。
許可状態通知部１ｄは、第１の情報伝送制御部１ｂによって、第１の情報伝送処理部１ｃに情報伝送の許可が与えらたときに、その状態を外部情報端末機器に通知するための処理部であり、許可状態中は所定の間隔で許可通知情報を伝送するように処理を行う。
【００３０】
第１の無線送受信部１ｅは、無線でデータの送受信を行うためのものであり、本実施の形態においては、ペン型入力装置と外部情報端末機器とは無線でデータの送受信を行うようになっている。
第１のＣＰＵ１ｆは、第１のＲＯＭ１ｇに記憶された、上記各部の処理を制御するための第１のペン型入力装置制御用プログラムを実行するためのものである。
【００３１】
第１のＲＡＭ１ｈは、第１のペン型入力装置制御用プログラムを実行する際に、必要なデータを記憶するためのものである。
第１のバス１ｉは、上記各部間のデータの伝送を行うためのデータ通信路である。
次に、上記第１の構成例の具体的な動作を、図３乃至図５に基づいて説明する。図３は、取り外し可能なキャップ部及びキャップ部を装着することによってオフ状態となるスイッチを備えた第１のペン型入力装置３の外観図であり、図４はクリップ部及び導電スイッチを備えた第２のペン型入力装置４の外観図であり、（ａ）は、導電スイッチがオン状態であることを示す図であり、（ｂ）はクリップ部に絶縁物が挟まって導電スイッチがオフ状態であることを示す図である。更に、図５は、ペン先端部に押下式スイッチを備えた第３のペン型入力装置５の外観図である。
【００３２】
図３に示すように、第１のペン型入力装置３は、キャップ部３ａと、キャップ部装着時にオフ状態となるスライド式スイッチ３ｂと、を備えた構成となっている。スライド式スイッチ３ｂは、図示しないバネによってキャップ部３ａを取り外した状態のときはスイッチがオン状態となるようにスライドし、キャップ部３ａを装着することでオフ状態へとスライドするようになっている。
つまり、キャップ部３ａを装着しているときは、第１の情報伝送制御部１ｂは、第１の情報伝送処理部１ｃに対して情報の伝送を禁止する命令を与え、一方、キャップ部３ａを取り外し、スライド式スイッチがオン状態となったときには、第１の情報伝送制御部１ｂは、第１の情報伝送処理部１ｃに対して情報の伝送を許可する命令を与えるようになっている。
【００３３】
従って、第１の情報伝送処理部１ｃは、情報の伝送を許可する命令を受信すると、伝送用データを送信するように第１の無線送受信部１ｅに命令を与える。また、情報伝送の許可命令は、許可情報通知部１ｄにも伝送され、外部周辺にある情報端末機器に第１のペン型入力装置３が通信中であることを知らせるようになっている。なお、これら各部の処理は、第１のＣＰＵ１ｆによって、第１のＲＯＭ１ｇに記憶された第１のペン型入力装置制御用プログラムを実行することによって行われる。
【００３４】
更に、図７に基づいて、第１のペン型入力装置３の動作処理の流れを説明する。図７は、第１のペン型入力装置３の動作処理を示すフローチャートである。
図７に示すように、まずステップＳ７００に移行し、キャップ部３ａが装着されているか否かを判定し、装着されていると判定された場合(Yes)はステップＳ７０２に移行し、そうでない場合（No)はステップＳ７０４に移行する。ここで、キャップ部３ａが装着されているか否かの判定は、スイッチ部１ａの検出結果に基づいて行われる。
【００３５】
ステップＳ７０２に移行した場合は、第１の情報伝送制御部１ｂによって、第１の情報伝送処理部１ｃに情報の伝送を禁止する命令を伝送して、情報伝送を禁止しステップＳ７００に移行する。
一方、ステップＳ７０４に移行した場合は、第１の情報伝送制御部１ｂによって、第１の情報伝送処理部１ｃに情報の伝送を許可する命令を伝送して、情報の伝送を可能としステップＳ７０６に移行する。このとき、許可命令は許可状態通知部１ｄにも伝送される。
【００３６】
ステップＳ７０６に移行すると、第１の情報伝送処理部１ｃは、第１の無線送受信部１ｅに伝送用データの伝送命令を伝送し、許可状態通知部１ｄも第１の無線送受信部１ｅに情報伝送が許可されていることを示す許可情報の伝送命令を伝送し、第１の無線送受信部１ｅはこれらの伝送命令に応じて各データを伝送し処理を終了する。
更に、第２のペン型入力装置４の具体的な動作を図４に基づいて説明する。図４に示すように、第２のペン型入力装置４は、クルップ部４ａと、クリップ部が通常の状態時にオン状態となる導通スイッチ４ｂと、を備えた構成となっている。図４（ａ）に示すように、通常、導通スイッチ４ｂはクリップ部４ａと接触状態にあり、つまり、このときには電流が流れ導通状態となっており、本実施の形態においては、この状態をスイッチがオン状態であるとしている。
【００３７】
また、図４（ｂ）に示すように、クリップ部４ａに衣服の胸ポケットなどの薄物を挟みこんだときは、クリップ部４ａと導通スイッチ４ｂとの間に絶縁体が介入することになり、電流が流れずスイッチは非導通状態となり、本実施の形態においては、この状態をスイッチがオフ状態であるとしている。
つまり、クリップ部４ａに絶縁物を挟みこんで導通スイッチがオフ状態のときには、第１の情報伝送制御部１ｂは、第１の情報伝送処理部１ｃに対して情報の伝送を禁止する命令を与え、一方、クリップ部４ａに絶縁物を挟まずに導通スイッチ４ｂがオン状態のときには、第１の情報伝送制御部１ｂは、第１の情報伝送処理部１ｃに対して情報の伝送を許可する命令を与えるようになっている。
【００３８】
従って、第１の情報伝送処理部１ｃは、情報の伝送を許可する命令を受信すると、伝送用データを目的の情報端末機器に伝送するように第１の無線送受信部１ｅに命令を与える。また、情報伝送の許可命令は、許可情報通知部１ｄにも伝送され、外部周辺にある情報端末機器に第１のペン型入力装置３が通信中であることを知らせるようになっている。なお、これら各部の処理は、第１のＣＰＵ１ｆによって、第１のＲＯＭ１ｇに記憶された第１のペン型入力装置制御用プログラムを実行することによって行われる。
【００３９】
更に、図８に基づいて、第２のペン型入力装置４の動作処理の流れを説明する。図８は、第２のペン型入力装置４の動作処理を示すフローチャートである。
図８に示すように、ステップＳ８００に移行し、導通スイッチ４ｂが導通状態であるか否かを判定し、導通状態であると判定された場合(Yes)はステップＳ８０２に移行し、そうでない場合(No)はステップＳ８０６に移行する。
ステップＳ８０２に移行した場合は、第１の情報伝送制御部１ｂによって、第１の情報伝送処理部１ｃに情報の伝送を許可する命令を伝送して、情報の伝送を可能としステップＳ８０４に移行する。このとき、許可命令は許可状態通知部１ｄにも伝送される。
【００４０】
ステップＳ８０４に移行すると、第１の情報伝送処理部１ｃは、第１の無線送受信部１ｅに伝送用データの伝送命令を伝送し、許可状態通知部１ｄも第１の無線送受信部１ｅに情報伝送が許可されていることを示す許可情報の伝送命令を伝送し、第１の無線送受信部１ｅはこれらの伝送命令に応じて各データを伝送し処理を終了する。
一方、ステップＳ８００において、導通スイッチ４ｂが非導通状態でありステップＳ８０６に移行した場合は、第１の情報伝送制御部１ｂによって、第１の情報伝送処理部１ｃに情報の伝送を禁止する命令を伝送して、情報伝送を禁止しステップＳ８００に移行する。
【００４１】
更に、第３のペン型入力装置５の具体的な動作を図５に基づいて説明する。図５に示すように、第３のペン型入力装置５は、ペン先部５ａと、ペン先部５ａが何かに接触して押されると押下されオン状態となる押下式スイッチ５ｂと、を備えた構成となっている。押下式スイッチ５ｂは、ペン先部５ａが接触によって力を受けているときは押下式スイッチ５ｂのボタン部が押されてスイッチがオン状態となり、ペン先部５ａが、何にも接触しておらず、押下式スイッチ５ｂのボタン部が押されていない状態のときはオフ状態になる。
【００４２】
つまり、押下式スイッチ５ｂのボタン部が押下されてなくオフ状態のときには、第１の情報伝送制御部１ｂは、第１の情報伝送処理部１ｃに対して情報の伝送を禁止する命令を与え、一方、ペン先部５ａが何かに接触して押下式スイッチ５ｂのボタン部が押下されオン状態のときには、第１の情報伝送制御部１ｂは、第１の情報伝送処理部１ｃに対して情報の伝送を許可する命令を与えるようになっている。
【００４３】
従って、第１の情報伝送処理部１ｃは、情報の伝送を許可する命令を受信すると、伝送用データを目的の情報端末機器に伝送するように第１の無線送受信部１ｅに命令を与える。また、情報伝送の許可命令は、許可情報通知部１ｄにも伝送され、外部周辺にある情報端末機器に第１のペン型入力装置３が通信中であることを知らせるようになっている。なお、これら各部の処理は、第１のＣＰＵ１ｆによって、第１のＲＯＭ１ｇに記憶された第１のペン型入力装置制御用プログラムを実行することによって行われる。
【００４４】
更に、図９に基づいて、第３のペン型入力装置５の動作処理の流れを説明する。図９は、第３のペン型入力装置５の動作処理を示すフローチャートである。
図９に示すように、まずステップＳ９００に移行し、スイッチ部１ａによって、押下式スイッチ５ｂのボタン部が押下されたか否かを判定し、押下されたと判定された場合(Yes)はステップＳ９０２に移行し、そうでない場合(No)はステップＳ９０６に移行する。
【００４５】
ステップＳ９０２に移行した場合は、第１の情報伝送制御部１ｂによって、第１の情報伝送処理部１ｃに情報の伝送を許可する命令を伝送して、情報の伝送を可能としステップＳ９０４に移行する。このとき、許可命令は許可状態通知部１ｄにも伝送される。
ステップＳ９０４に移行すると、第１の情報伝送処理部１ｃは、第１の無線送受信部１ｅに伝送用データの伝送命令を伝送し、許可状態通知部１ｄも第１の無線送受信部１ｅに情報伝送が許可されていることを示す許可情報の伝送命令を伝送し、第１の無線送受信部１ｅはこれらの伝送命令に応じて各データを伝送し処理を終了する。
【００４６】
一方、ステップＳ９００において、押下式スイッチ５ｂのボタン部が押下されておらずステップＳ９０６に移行した場合は、第１の情報伝送制御部１ｂによって、第１の情報伝送処理部１ｃに情報の伝送を禁止する命令を伝送して、情報伝送を禁止しステップＳ９００に移行する。
なお更に、図２に基づいて、本発明に係るペン型入力装置の第２の構成を説明する。図２は、本発明に係るペン型入力装置の第２の構成を示すブロック図である。
【００４７】
ペン型入力装置の第２の構成２は、人体情報検出部２ａと、人体情報解析部２ｂと、接触者識別情報生成部２ｃと、接触者識別情報データベース２ｄと、第２の情報伝送制御部２ｅと、第２の情報伝送処理部２ｆと、接触者識別部２ｇと、第２の無線送受信部２ｈと、第２のＣＰＵ２ｉと、第２のＲＯＭ２ｊと、第２のＲＡＭ２ｋと、を備えた構成となっている。
人体情報検出部２ａは、検出部に接触した人体の情報を検出するためのもので、本実施の形態においては、接触した指先の指紋情報を検出するようになっている。
【００４８】
人体情報解析部２ｂは、検出された指紋情報を解析するためのもので、ＬＥＤ等の光源から光を接触した指先の腹に当て、その反射情報を解析するものである。
接触者識別情報生成部２ｃは、解析された指紋情報に対して固有のＩＤを生成するものである。
接触者識別情報データベース２ｄは、接触者識別情報生成部２ｃにおいて生成された接触者識別情報を登録するもので、本実施の形態においては、接触者識別情報をペン型入力装置の機能の設定内容と関連付けて登録する登録機能を有している。
【００４９】
第２の情報伝送制御部２ｅは、人体情報検出部２ａの検出結果に基づいて、後述する第２の情報伝送処理部２ｆを制御するもので、人体の一部が検出部に接触し、接触を検出したときには、第２の情報伝送処理部２ｆに情報伝送の許可命令を与え、情報の伝送を可能にさせる。一方、接触が検出されないときには、第２の情報伝送処理部２ｆに情報伝送の禁止命令を与え、情報の伝送を禁止する。
第２の情報伝送処理部２ｆは、第２の情報伝送制御部２ｅからの命令に従って、情報の伝送処理を行うもので、後述する第２の無線送受信部２ｈに伝送用データの伝送命令を与える処理を行う。
【００５０】
第２のＣＰＵ２ｉは、第２のＲＯＭ２ｊに記憶された、上記各部の処理を制御するための第２のペン型入力装置制御用プログラムを実行するためのものである。
第２のＲＡＭ２ｋは、第２のペン型入力装置制御用プログラムを実行する際に、必要なデータを記憶するためのものである。
第２のバス２ｌは、上記各部間のデータの伝送を行うためのデータ通信路である。
【００５１】
次に、上記第２の構成例の具体的な動作を、図６に基づいて説明する。図６（ａ）は、人体情報検出機能を備える第４のペン型入力装置６の外観図であり、図６（ｂ）は、接触者識別情報データベース２ｄに登録された接触者識別情報を示す図である。図６（ａ）に示すように、第４のペン型入力装置６は、人体（指先）による接触から指紋情報を検出するための検出部を兼ねたグリップ部６ａを備えている。グリップ部６ａは、指先の接触を検知して人体情報検出部２ａに知らせ、人体情報検出部２ａは、指先の接触面に図示しないＬＥＤから光を照射する。そして、人体情報解析部２ｂは、接触面で反射した光を取得して、指紋情報を解析する。解析されコード化された指紋情報は、図６（ｂ）に示すように、固有のＩＤと対応付けられ、接触者識別情報データベース２ｄの登録機能によってデータベースに登録される。一方、グリップ部６ａへの人体（指先）の接触があると、その情報は第２の情報伝送制御部２ｅに伝送される。接触情報を取得すると第２の情報伝送制御部２ｅは、第２の情報伝送処理部２ｆに情報伝送の許可命令を与えるようになっている。逆に、グリップ部６ａに指先の接触が無いときに第２の情報伝送制御部２ｅは、第２の情報伝送処理部２ｆに対して、情報伝送の禁止命令を与えるようになっている。
【００５２】
従って、第２の情報伝送処理部２ｆは、情報の伝送を許可する命令を受信すると、伝送用データを目的の情報端末機器に伝送するように第２の無線送受信部２ｈに命令を与える。
更に、生成された接触者識別情報は、その情報に対応した接触者毎に設定される第４のペン型入力装置６の機能設定内容に対応付けられてデータベースに登録されるようになっており、生成された接触者識別情報は、接触者識別部２ｇによって、既にデータベースに登録されている接触者識別情報の中に同様のものがあるか否かを判定し、同様のものがあった場合に、第４のペン型入力装置６は、接触者に対応した設定内容で動作するようになっており、同様の情報が無い場合に、生成された接触者識別情報は、接触者識別情報データベース２ｄの登録機能によって新たな接触者としてデータベース登録されることになる。
【００５３】
なお、これら各部の処理は、第２のＣＰＵ２ｉによって、第２のＲＯＭ２ｊに記憶された第２のペン型入力装置制御用プログラムを実行することによって行われる。
更に、図１０に基づいて、第４のペン型入力装置６の動作処理の流れを説明する。図１０は、第４のペン型入力装置６の動作処理を示すフローチャートである。
【００５４】
図１０に示すように、まずステップＳ１０００に移行し、グリップ部６ａへの人体の接触が有ったか否かを判定し、接触が有ったと判定された場合(Yes)は接触が有ったことを人体情報検出部２ａ及び第２の情報伝送制御部２ｅに伝送してステップＳ１００２に移行し、そうでない場合(No)は接触が有るまで待機する。ステップＳ１００２に移行した場合は、人体情報検出部２ａによって、図示しないＬＥＤの点灯によって、グリップ部６ａに接触した人体（指先）の接触面に光を当てて、その反射光を指紋情報として検出して検出結果を人体情報解析部２ｂに伝送してステップＳ１００４に移行する。
【００５５】
ステップＳ１００４に移行すると、人体情報解析部２ｂによって、取得した指紋情報を解析してその解析結果を接触者識別情報生成部２ｃに伝送してステップＳ１００６に移行する。ここで、指紋情報は、光の反射情報であるので、この反射光の角度や反射量によって指紋の凹凸部を判別する解析処理が行われる。
ステップＳ１００６に移行すると、接触者識別情報生成部２ｃによって、解析結果から指紋情報をコード化し、さらに接触者を識別するためのＩＤと関連付けた接触者識別情報を生成してその情報を接触者識別部２ｇに伝送してステップＳ１００８に移行する。
【００５６】
ステップＳ１００８に移行すると、接触者識別部２ｇによって、生成された接触者識別情報が既に登録されたものであるか否かを判定する処理を行いステップＳ１０１０に移行する。
ステップＳ１０１０に移行すると、接触者識別部２ｇの判定結果に基づき登録されたものである場合(Yes)はステップＳ１０１２に移行し、そうでない場合(No)はステップＳ１０１６に移行する。
【００５７】
ステップＳ１０１２に移行した場合は、登録された接触者識別情報に対応した第４のペン型入力装置６の機能設定内容に設定すると共に、接触情報を受信した第２の情報伝送制御手段によって、第２の情報伝送処理部２ｆの情報伝送の許可命令が伝送され、許可を得た第２の情報伝送処理部２ｆは、第２の無線送受信部２ｈに伝送用データの伝送命令を伝送してステップＳ１０１４に移行する。
ステップＳ１０１４に移行すると、第２の無線送受信部２ｈによって、伝送用データを伝送して処理を終了する。
【００５８】
一方、ステップＳ１０１０において、生成された接触者識別情報が登録済みでなくステップＳ１０１６に移行した場合は、接触者識別情報データベース２ｄによって、生成された接触者識別情報を登録し、接触情報を受信した第２の情報伝送制御手段によって、第２の情報伝送処理部２ｆの情報伝送の許可命令が伝送され、許可を得た第２の情報伝送処理部２ｆは、第２の無線送受信部２ｈに伝送用データの伝送命令を伝送してステップＳ１０１８に移行する。
【００５９】
ステップＳ１０１８に移行すると、第２の無線送受信部２ｈによって、伝送命令に応じて伝送用データを伝送して処理を終了する。
更に、外観が、図６（ａ）に示す第４のペン型入力装置６と同様であるが、グリップ部６ａへの接触の有無のみで情報入力の可否を決定する場合の実施の形態例を説明する。なお、この場合のペン型入力装置の構成は、図１に示す、ペン型入力装置の第１の構成例１において、スイッチ部１ａを接触式センサに代えたものになる。従って、図示を省略する。
【００６０】
この場合、第４のペン型入力装置６は、物の接触の有無を検出するための情報を検出する検出部を兼ねたグリップ部６ａを備えている。グリップ部６ａは、物の接触情報を検出して図示しない接触式センサに知らせ、当該接触式センサは、その情報に基づいて物の接触の接触の有無を検出する。
グリップ部６ａへの物の接触があると、その情報は第１の情報伝送制御部２ｂに伝送される。接触情報を取得すると第１の情報伝送制御部２ｂは、第１の情報伝送処理部１ｃに情報伝送の許可命令を与えるようになっている。逆に、グリップ部６ａに指先の接触が無いときに第１の情報伝送制御部１ｂは、第１の情報伝送処理部１ｃに対して、情報伝送の禁止命令を与えるようになっている。
【００６１】
従って、第１の情報伝送処理部１ｃは、情報の伝送を許可する命令を受信すると、伝送用データを目的の情報端末機器に伝送するように第１の無線送受信部１ｅに伝送命令を与える。
なお、これら各部の処理は、第１のＣＰＵ１ｆによって、第１のＲＯＭ１ｇに記憶された第１のペン型入力装置制御用プログラムを実行することによって行われる。
【００６２】
更に、グリップ部６ａへの接触の有無のみで情報入力の可否を決定する場合の動作処理の流れを図１１に基づいて説明する。図１１は、グリップ部６ａへの物の接触の有無のみで情報入力の可否を決定する場合の第４のペン型入力装置６の動作処理を示すフローチャートである。
図１１に示すように、まずステップＳ１１００に移行し、グリップ部６ａに、物の接触があったか否かを判定し、接触があったと判定された場合(Yes)はステップＳ１１０２に移行し、そうでない場合(No)はステップＳ１１０６に移行する。
【００６３】
ステップＳ１１０２に移行した場合は、第１の情報伝送制御部１ｂによって、第１の情報伝送処理部１ｃに情報の伝送を許可する命令を伝送して、情報の伝送を可能としステップＳ１１０４に移行する。このとき、許可命令は許可状態通知部１ｄにも伝送される。
ステップＳ１１０４に移行すると、第１の情報伝送処理部１ｃは、第１の無線送受信部１ｅに伝送用データの伝送命令を伝送し、許可状態通知部１ｄも第１の無線送受信部１ｅに情報伝送が許可されていることを示す許可情報の伝送命令を伝送し、第１の無線送受信部１ｅはこれらの伝送命令に応じて各データを伝送し処理を終了する。
【００６４】
一方、ステップＳ１１００において、物の接触が検出されずステップＳ１１０６に移行した場合は、第１の情報伝送制御部１ｂによって、第１の情報伝送処理部１ｃに情報の伝送を禁止する命令を伝送して、情報伝送を禁止しステップＳ１１００に移行する。
以上、第１のペン型入力装置３のように、キャップ部３ａを装着したときには、データの伝送を禁止し、キャップ部３ａを取り外したときにデータの伝送を許可するようにしたので、利用時以外のデータ伝送を抑えることが可能となるので、消費電力の低減となる。
【００６５】
また、第２のペン型入力装置４のように、クリップ部４ａに薄物が挟まっている状態のときには、データの伝送を禁止するようにし、クリップ部４ａに何も挟まっていない状態のときには、データの伝送を許可するようにしたので、ペン型入力装置を、胸ポケットなどにクリップ部４ａによって固定所持しているようなときには、データの伝送を行わないようにできるので、無駄なデータの伝送を抑え、消費電力の低減となる。
【００６６】
また、第３のペン型入力装置５のように、ペンの先端部に押下型スイッチを設け、ペン先部５ａの接触によって押下式スイッチ５ｂのボタン部が押下されるようにし、ボタン部が押下されていないときには、データの伝送を禁止するようにし、ボタン部が押下されているときには、データの伝送を許可するようにしたので、例えば、タッチパネルなどにペン先部を接触させて第３のペン型入力装置５を使用して、ボタン部が押されているときのみに、データの伝送が行われるので、無駄なデータの伝送を抑えることができ、消費電力の低減となる。
【００６７】
また、第４のペン型入力装置６のように、人体情報として指紋情報を取得し、指紋情報に対応した接触者識別情報を生成して、その情報により接触者を識別して、接触者固有の設定などを、グリップ部６ａに指先を触れるだけで手軽に設定できるようにし、且つ、接触が検知されたときに、データの伝送を許可し、接触が検知されないときは、データの伝送を禁止するようにしたので、使用時以外の無駄なデータの伝送を抑えることができ、消費電力の低減となる。
【００６８】
第４のペン型入力装置６と外観が同様で、グリップ部６ａへの物の接触の有無のみを検出し、接触が検出されていないときは、データの伝送を禁止するようにし、接触が検出されているときには、データの伝送を許可するようにしたので、例えば、グリップ部６ａを指でつかんでいるような状態のときのみに、データの伝送が行われるので、無駄なデータの伝送を抑えることができ、消費電力の低減となる。
【００６９】
ここで、図１及び図２に示す、第１の情報伝送制御部１ｂ及び第２の情報伝送制御部２ｅは、請求項１、２、３、５、７記載の情報伝送制御手段に対応し、図１に示す、第１の情報伝送処理部１ｃ及び第１の無線送受信部１ｅによる伝送データの生成処理及び伝送処理は、請求項１、２、３、５、７記載の情報伝送手段に対応し、図２に示す、第２の情報伝送処理部２ｆ及び第２の無線送受信部２ｈによる伝送データの生成処理及び伝送処理は、請求項１、２、３、５、７記載の情報伝送手段に対応し、図１に示す、許可状態通知部１ｄは、請求項８記載の許可状態通知手段に対応し、図２に示す、人体情報検出部２ａは、請求項９記載の人体情報検出手段に対応し、人体情報解析部２ｂは、請求項９記載の人体情報解析手段に対応し、接触者識別情報生成部２ｃは、請求項９記載の接触者識別情報生成手段に対応し、接触者識別情報データベース２ｄにおける接触者識別情報の登録機能は、接触者識別情報登録手段に対応し、接触者識別部２ｇは、請求項９記載の接触者識別手段に対応している。
【００７０】
なお、上記実施の形態においては、データ伝送処理部のデータ伝送を禁止する際にデータ伝送制御部からの命令によって禁止しているが、これに限らず、データ伝送を禁止する状態においては、ペン型入力装置の駆動電源を供給しないようにしてデータの伝送を禁止するようにしても良い。この場合は、データ伝送制御部は、スイッチのオン状態や、接触の検知に応じてデータ伝送を許可する制御のみを行うことになる。
【００７１】
また、上記実施の形態においては、導電状態のときにスイッチをオン状態であるとして情報の伝送を許可する処理を行い、非導電状態のときにスイッチをオフ状態であるとして情報の伝送を禁止する処理を行うようにしているが、これに限らず、非導電状態をスイッチがオフ状態であるとし、導電状態をスイッチがオン状態であるとして、前記各処理を行うようにするなど、スイッチの状態判別は別の方法を用いても良い。
【００７２】
また、上記実施の形態においては、第４のペン型入力装置６のグリップ部６ａへの人体の接触及び接触による人体情報（指紋情報）の検出を行ってその人体情報の検出結果に基づいて、接触者が登録されていない場合は、新たに登録するようになっているが、これに限らず、登録されていない接触者には情報の入力を禁止するように処理を行うようにしても良い。これにより、入力される側の情報端末機器において、セキュリティの向上が可能となる。
【００７３】
【発明の効果】
以上説明したように、本発明に係る請求項１記載のペン型入力装置によれば、キャップ部が取りはずされた状態のときに情報伝送制御手段は、情報伝送手段による情報端末機器への所定の情報の伝送を可能とする制御を行い、一方、キャップ部が情報伝送装置の先端部を覆っている状態のときには、情報端末機器への情報伝送手段による情報の伝送を禁止する制御を行うようになっているので、例えば、ペン型入力装置と情報端末機器との間で、ペン型入力装置から識別情報などを常時伝送して情報端末機器との間の通信を確立するような通信制御が行われている場合に、ペン型入力装置を利用するときのみにキャップ部を外すようにすれば、利用時以外の無駄なデータの伝送を抑え、消費電力の低減に役立つ。
【００７４】
また、請求項２記載のペン型入力装置によれば、情報伝送制御手段は、クリップ部と導電スイッチとの間に絶縁物が何も挟みこまれておらずスイッチが導電状態のときには、情報伝送手段による情報端末機器への所定の情報の伝送を可能とする制御を行い、一方、クリップ部に、例えば、絶縁物として胸ポケットの布等が挟みこまれており導電スイッチが非導電状態のときには、情報伝送手段による情報端末機器への所定の情報の伝送を禁止するようになっているので、例えば、ペン型入力装置と情報端末機器との間で、ペン型入力装置から識別情報などを常時伝送して情報端末機器との間の通信を確立するような通信制御が行われている場合に、ペン型入力装置を利用するときのみにキャップ部を外すようにすれば、利用時以外の無駄なデータ伝送を抑え、消費電力の低減に役立つ。
【００７５】
また、請求項３記載のペン型入力装置によれば、情報伝送制御手段は、押下式スイッチが押下されている状態のときに、情報伝送制御手段による情報端末機器への情報の伝送を可能とする制御を行い、一方、押下式スイッチが押下されていない状態のときに、情報伝送制御手段による情報端末機器への情報の伝送を禁止する制御を行うようになっているので、例えば、ペン型入力装置と情報端末機器との間で、ペン型入力装置から識別情報などを常時伝送して情報端末機器との間の通信を確立するような通信制御が行われている場合に、ペン型入力装置を利用するときのみにキャップ部を外すようにすれば、利用時以外の無駄なデータ伝送を抑え、消費電力の低減に役立つ。
【００７６】
また、請求項５記載のペン型入力装置によれば、情報伝送制御手段は、タッチセンサの検出部に、例えば、指先などの人体の一部が接触しそれが検出されている状態のときには、情報伝送制御手段による情報端末機器への情報の伝送を可能とする制御を行い、一方、タッチセンサの検出部に人体の一部が触れておらず、接触が検出されていない状態のときには、情報伝送制御手段による情報端末機器への情報の伝送を禁止する制御を行うようになっているので、例えば、ペン型入力装置と情報端末機器との間で、ペン型入力装置から識別情報などを常時伝送して情報端末機器との間の通信を確立するような通信制御が行われている場合に、ペン型入力装置を利用するときのみにキャップ部を外すようにすれば、利用時以外の無駄なデータ伝送を抑え、消費電力の低減に役立つ。
【００７７】
また、請求項７記載のペン型入力装置によれば、情報伝送制御手段は、情報伝送手段による所定の情報の伝送を禁止するときに、自装置に駆動電源の供給を行わないようにし、一方、スイッチがオン状態であったり、タッチセンサに接触が検出されているときに、駆動電源を供給してデータの伝送を許可するようにしたものである。従って、駆動電源の供給自体を停止するので、より消費電力の低減が可能となる。
【００７８】
また、請求項８記載のペン型入力装置によれば、許可状態通知手段によって、情報伝送手段による所定の情報の伝送が許可されている状態を通知するようにしたものである。従って、この通知を受信した情報端末機器は、ペン型入力装置が使用中であることを知ることが可能である。
また、請求項９記載のペン型入力装置によれば、人体情報検出手段によって、自装置に接触した人体の情報を検出し、人体情報解析手段によって、検出された人体情報を解析し、接触者識別手段によって、予め接触者を識別するための前記解析結果に基づいて生成された接触者識別情報が登録されている接触者識別情報データベースから、前記解析結果に基づき接触者を識別するようになっているので、例えば、人体の接触によって得られた解析結果が、接触者識別情報データベースに登録された接触者識別情報と対応したものであれば、例えば、その接触者識別情報毎に、ペン型入力装置の機能の設定内容を登録しておくようにすれば、接触者毎に異なる設定で同一のペン型入力装置を利用するときに、接触者の判別に役立つ。
【図面の簡単な説明】
【図１】本発明に係るペン型入力装置の第１の構成を示すブロック図である。
【図２】本発明に係るペン型入力装置の第２の構成を示すブロック図である。
【図３】取り外し可能なキャップ部及びキャップ部を装着することによってオフ状態となるスイッチを備えた第１のペン型入力装置３の外観図である。
【図４】クリップ部及び導電スイッチを備えた第２のペン型入力装置４の外観図であり、（ａ）は、導電スイッチがオン状態であることを示す図であり、（ｂ）はクリップ部に絶縁物が挟まって導電スイッチがオフ状態であることを示す図である。
【図５】ペン先端部に押下式スイッチを備えた第３のペン型入力装置５の外観図である。
【図６】（ａ）は、人体情報検出機能を備える第４のペン型入力装置６の外観図であり、（ｂ）は、接触者識別情報データベース２ｄによって登録された接触者識別情報を示す図である。
【図７】第１のペン型入力装置３の動作処理を示すフローチャートである。
【図８】第２のペン型入力装置４の動作処理を示すフローチャートである。
【図９】第３のペン型入力装置５の動作処理を示すフローチャートである。
【図１０】第４のペン型入力装置６の動作処理を示すフローチャートである。
【図１１】グリップ部６ａへの物の接触の有無のみで情報入力の可否を決定する場合の第４のペン型入力装置６の動作処理を示すフローチャートである。
【符号の説明】
１                ペン型入力装置の第１の構成例
１ａ              スイッチ部
１ｂ              第１の情報伝送制御部
１ｃ              第１の情報伝送処理部
１ｄ              許可状態通知部
１ｅ              第１の無線送受信部
２                ペン型入力装置の第２の構成例
２ａ              人体情報検出部
２ｂ              人体情報解析部
２ｃ              接触者識別情報生成部
２ｄ              接触者識別情報データベース
２ｅ              第２の情報伝送制御部
２ｆ              第２の情報伝送処理部
２ｇ              接触者識別部
２ｈ              第２の無線送受信部
３                第１のペン型入力装置
３ａ              キャップ部
３ｂ              スライド式スイッチ
４                第２のペン型入力装置
４ａ              クリップ部
４ｂ              導電スイッチ
５                第３のペン型入力装置
５ａ              ペン先部
５ｂ              押下式スイッチ
６                第４のペン型入力装置
６ａ              グリップ部
【図１】
0003867556.tif 000002
【図２】
0003867556.tif 000003
【図３】
0003867556.tif 000004
【図４】
0003867556.tif 000005
【図５】
0003867556.tif 000006
【図６】
0003867556.tif 000007
【図７】
0003867556.tif 000008
【図８】
0003867556.tif 000009
【図９】
0003867556.tif 000010
【図１０】
0003867556.tif 000011
【図１１】
0003867556.tif 000012